(57)【要約】【課題】ショーケースの庫内底部に敷設したデッキパンを簡単な操作で前傾／水平姿勢に切替えることができ、併せ陳列商品がケース前方に脱落するのを防ぐフェンスも同じ支持構造で直立姿勢に保持できるように改良したデッキパン支持構造を提供する。【解決手段】前面開放形ケース本体の庫内底部に敷設したデッキパン９を前傾／水平姿勢に切替えるための支持構造を次記のように構成する。すなわち、庫内のフロント側に設けて冷気エアカーテンの吸込通路を画成するリターンパネル２ａの内壁面上に、商品の脱落防止用フェンス１１の保持具を兼ねた段付きブラケット１２を設置し、庫内底部に前傾姿勢で敷設したデッキパンを水平姿勢に切替えるには、デッキパンの前縁を引き上げてブラケットの段付き部に差し込んで掛止支持する。【選択図】        図１
2006042973.tif 000002
【特許請求の範囲】
【請求項１】
前面開放形ケース本体の庫内底部に敷設したデッキパンを前傾／水平姿勢に切替えるためのショーケースのデッキパン支持構造であって、
ケース本体のフロント側に設けたリターンパネルの内壁面上に、陳列商品の脱落防止用フェンスの保持具を兼ねてデッキパンの前縁を引き上げ位置に掛止支持する段付きブラケットを設置したことを特徴とするショーケースのデッキパン支持構造。
【請求項２】
請求項１記載のデッキパン支持構造において、段付きブラケットは、庫内の間口に相応した長さのパネル体であり、その上縁を裏側に縁曲げしてフェンスを直立姿勢に支える支持部を形成し、かつ中段位置にデッキパンの前縁を掛止する窓枠状の段付き部を形成した構成になることを特徴とする商品のデッキパン支持構造。
【発明の詳細な説明】
【技術分野】
【０００１】
本発明は、冷気循環式のオープンショーケースを実施の対象とするショーケースのデッキパン支持構造に関する。
【背景技術】
【０００２】
まず、頭記した冷気循環式オープンショーケースの全体構造を図３（ａ），（ｂ）に示す。図において、１は断熱筐体になる前面開放形の本体ケース、２はケース内箱、３は本体ケース１の前面下部に配したフロントパネル、４は内箱２の外周域に画成した庫内の冷気循環通風路、５は冷気循環通風路４に配置した冷却器（冷凍機のエバポレータ）、６は冷気循環送風ファン、７は冷凍機のコンデンシングユニット、８は上下段に並べて内箱２の庫内に配した商品陳列棚、９は庫内底部に敷設したデッキパンであり、保冷運転時には前記通風路には冷却器５と熱交換した冷気が循環通風して内箱２の前面上部から庫内前面に冷気エアカーテンを吹き出し形成し、陳列棚８およびデッキパン９の上に陳列した商品１０を保冷することは周知の通りである。
ここで、前記のデッキパン９は内箱２の庫内側空間と冷気循環通風路４の底部側通風路のとの間の仕切り壁を兼ねた台板（周囲四辺を縁曲げした薄鋼板製の台板）であり、内箱２のフロント下部側に配して上方から流下する冷気エアカーテンの吸込み通路を画成するリターンパネル２ａの下端部と背面パネル２ｂの下端部との間に跨がって載置し、外部に取り外し可能に敷設されている。なお、図示例のショーケースでは、リターンパネル２ａの下端と背面パネル２ｂの下端との間に高低段差を設けてデッキパン９を前傾姿勢に支えるようにしている。
【０００３】
一方、前記デッキパン９の支持構造に関して、ショーケースのユーザーが商品の陳列方法を変更するために、デッキパン９を前傾姿勢，あるいは水平姿勢に切替えられるようにするために、前記した内箱２のリターンパネル２ａ，背面パネル２ｂの壁面に穿孔した高さ調節穴にフック状のブラケットを掛止し、リターンパネルをこのブラケットの間に掛け渡すようにした構成のものが知られている（例えば、特許文献１参照）。
【特許文献１】特開平８−３０３９１７号公報
【発明の開示】
【発明が解決しようとする課題】
【０００４】
ところで、特許文献１に開示されている従来のデッキパン支持構造は、取扱い面で次記のような問題点がある。
すなわち、庫内底部に敷設したデッキパンを水平／傾斜姿勢に変更する場合には、デッキパン，および商品を一旦ケース本体から外部に取り出した上で、別に用意した付属品としてのフック状ブラケットを所望の高さ位置に合わせて庫内の前後パネルに掛止した上で、このブラケット間に跨がってデッキパンをセットするようにしていることから、その切替え作業に手間がかかるほか、ブラケットが独立部品であることから、紛失するなどその保管管理も面倒である。
本発明は上記の点に鑑みなされたものであり、その目的は前記課題を解決してデッキパンの姿勢切替えが簡単に行え、併せデッキパンに陳列した商品がショーケース前面の通路側に脱落するのを防ぐフェンスも同じ支持構造で簡単に直立姿勢に保持できるように改良したショーケースのデッキパン支持構造を提供することにある。
【課題を解決するための手段】
【０００５】
上記目的を達成するために、本発明によれば、前面開放形ケース本体の庫内底部に敷設したデッキパンを前傾／水平姿勢に切替えるためのショーケースのデッキパン支持構造として、ケース本体のフロント側に設けたリターンパネルの内壁面上に、陳列商品の脱落防止用フェンスの保持具を兼ねてデッキパンの前縁を引き上げ位置に掛止支持する段付きブラケットを設置する（請求項１）ものとし、具体的にはブラケットを次記のような態様で構成する。
（１）前記の段付きブラケットは、庫内の間口に相応した長さのパネル体であり、その上縁を裏側に縁曲げしてフェンスを直立姿勢に支える支持部を形成し、かつ中段位置にデッキパンの前縁を掛止する窓枠状の段付き部を形成した構成とする（請求項２）。
【発明の効果】
【０００６】
上記の構成によれば、デッキパンを前傾／水平姿勢に切替えるための段付きブラケットは当初からショーケースのケース本体に組み付けられており、ショーケースのロケーション先でユーザーがデッキパンの姿勢を前傾／水平姿勢に変更する際には、その都度デッキパンを庫外に取り外す必要はなく、デッキパンに商品を載せたままでも新たな姿勢に切替えることができる。したがって、デッキパンの姿勢変更に合わせて別に用意したフック状のブラケットの取付位置を調節する従来の支持構造と比べ、ユーザーサイドで行う姿勢変更の作業が手間をかけずに簡単に行えてサービス性が向上する。しかも、当該段付きブラケットは庫内前面に配した商品脱落防止用フェンスの保持部材兼用としたことで、庫内の構造が簡略化されてトータル的にも従来構造と比べてコストを低減できる。
【発明を実施するための最良の形態】
【０００７】
以下、本発明の実施の形態を図１，図２に示す実施例に基づいて説明する。なお、実施例の図中で図３に対応する部材には同じ符号を付してその説明は省略する。
すなわち、図示実施例においては、図１（ａ）で示すようにリターンパネル２ａの下端と背面パネル２ｂの下端の間に跨がって庫内底部に前傾姿勢で敷設したデッキパン９（図３参照）の前縁を多少上げて水平姿勢に支持するためのブラケットとして、前面パネル３の背後の庫内側で冷気エアカーテンの吸込み通路を形成するリターンパネル２ａの庫内に面した内壁面上に段付きブラケット１２を固定的に装備している。なお、１１はデッキパン９に陳列した商品，例えばドリンク商品がケース前方に脱落するのを防止する例えば透明樹脂で作られた衝立状のフェンスである。
ここで、前記の段付きブラケット１２は、図２（ａ），（ｂ）で示すように、庫内空間の間口（横幅）に対応した長さＬのパネル体（板金加工品）であり、その長手方向に沿って上縁を裏側へ逆Ｌ字形に縁曲げして後記するフェンスを起立姿勢に支える支持部１２ａを形成し、さらに中段位置（背面パネル２ｂの下端と同じ高さ位置）には長手方向に沿って切り込んだ窓の下縁を裏側へＬ字状に縁曲げしてデッキパン９の前縁を掛止する段付き部１２ｂを形成している。そして、この段付きブラケット１２をリターンパネル２ａの壁面に当ててボルト１３で締結する。
【０００８】
上記の構成で、ショーケースの組立時には段付きブラケット１２の頂部に形成したフェンス支持部１２ａとリターンパネル２ａの壁面との間の隙間にフェンス１１を上方から圧挿してフェンスを直立姿勢に支持する。また、ショーケースのロケーション先でユーザーがデッキパン９を図１（ａ）の前傾姿勢から水平姿勢に切替えて商品の陳列を変更する場合には、図１（ｂ）で示すようにデッキパン９の前縁を庫内底部から浮かすように持ち上げて前記ブラケット１２の段付き部１２ｂに差し込み、この差し込み位置で図２のようにデッキパン９の前縁を段付き部１２ｂの先端に掛止させる。これにより、デッキパン１２が水平姿勢に設置されることになる。なお、この姿勢変更の際に、デッキパン９を外して庫外に取り出す必要はなく、商品を陳列したままの状態で切替え作業を行うことも可能である。
【０００９】
なお、図示例の段付きブラケット１２には段付き部１２ｂが一段だけ形成されているが、この段付き部を複数段設ることによりデッキパン９の傾斜姿勢を様々に変えることもできる。
【図面の簡単な説明】
【００１０】
【図１】本発明の実施例によるデッキパン支持構造の構成図で、（ａ），（ｂ）はそれぞれデッキパンを前傾姿勢，水平姿勢に敷設した状態を表す側視断面図
【図２】図１における段付きブラケットの詳細構造図で、（ａ）は一部断面の外観斜視図、（ｂ）は（ａ）の縦断側面図
【図３】本発明の実施対象となる冷気循環式オープンショーケースの全体構成図で、（ａ），（ｂ）はそれぞれ正面図，および断面側視図
【符号の説明】
【００１１】
１    ケース本体
２    ケース内箱
２ａ  リターンパネル
２ｂ  背面パネル
３    フロントパネル
４    冷気循環通風路
８    商品陳列棚
９    デッキパン
１０    商品
１１    フェンス
１２    段付きブラケット
１２ａ  フェンス支持部
１２ｂ  段付き部
【図１】
2006042973.tif 000003
【図２】
2006042973.tif 000004
【図３】
2006042973.tif 000005